(57)【特許請求の範囲】
【請求項１】
近距離無線通信用のアンテナを製造する方法（５００）であって、前記方法は、少なくとも、
造形画像（１２０）を含むとともに、第１の参照フレームで表される第１のデータセットを含む、第１のファイル（５１０）を提供することと、
前記第１のファイルの前記第１のデータセット（５２０）を、第２のファイルに含まれるとともに第２の参照フレームで表される第２のデータセットに変換することと、
導電性トラック（１０２）によって形成される前記アンテナ（１００）の主形状（１１０）を表す第３のファイル（５３０）を提供することであって、前記主形状（１１０）は円形または矩形の螺旋形状、またはコイル形状である、前記提供することと、
前記導電性トラック（１０２）を、同じ幅の１次部分（１２１）と、前記１次部分（１２１）の幅とは異なる幅の２次部分（１２２）と、に細分割することにより、前記第２のファイルと前記第３のファイルを結合する（５４０）ことと、
前記１次部分（１２１）および前記２次部分（１２２）を、前記アンテナで使用される高周波回路の再適合の必要なく、前記主形状（１１０）の上または中において前記造形画像（１２０）を形成するようにアレンジする（５５０）ことと、を含む方法。
【請求項２】
近距離無線通信用のアンテナ（１００）であって、導電性トラック（１０２）を備え、前記導電性トラック（１０２）は、前記アンテナの主形状（１１０）を規定しているとともに、同じ幅の１次部分（１２１）と、前記１次部分（１２１）の幅とは異なる幅の２次部分（１２２）と、を備えるアレンジメントを含み、前記アレンジメントは、造形画像（１２０）を形成しており、前記アレンジメントは、前記アレンジメントに応じた前記アンテナの高周波回路の再適応の必要なく生成され、前記主形状（１１０）は円形または矩形の螺旋形状、またはコイル形状であり、
前記２次部分（１２２）の前記幅は、離散的であるか、または徐々に変化していることを特徴とする、アンテナ。
【請求項３】
前記１次部分（１２１）および／または前記２次部分（１２２）の前記幅は、４００μｍ未満であり、具体的には２００μｍ未満であり、好ましくは１５０μｍ未満である、請求項２に記載のアンテナ（１００）。
【請求項４】
前記アンテナは、前記１次部分（１２１）と前記２次部分（１２２）との間に距離を有し、前記距離は、４００μｍ未満であり、具体的には２００μｍ未満であり、好ましくは１５０μｍ未満である、請求項２〜３のいずれか一項に記載のアンテナ（１００）。
【請求項５】
前記導電性トラック（１０２）は、３００ｍｍ〜１２００ｍｍの範囲にある長さ、具体的には４００ｍｍ〜１０００ｍｍの範囲にある長さ、好ましくは５００ｍｍ〜９００ｍｍの範囲にある長さを有する、請求項２〜４のいずれか一項に記載のアンテナ（１００）。
【発明の詳細な説明】
【技術分野】
【０００１】
本発明の技術分野は、アンテナの分野に関し、より具体的には、近距離無線通信アンテナの分野に関するものである。
【背景技術】
【０００２】
近距離無線通信用のアンテナは、従来技術で知られている。これらのアンテナは、ユーザが視認できるものとすることができ、アンテナの形状は、その視覚的外観を改善するために、変更することが可能である。
【０００３】
しかしながら、アンテナに変更を加えるたびに、それに応じてアンテナの性能レベルが変化し、使用する高周波回路を再適応させる必要がある。
【発明の概要】
【発明が解決しようとする課題】
【０００４】
それらの変更に応じて使用する高周波回路を適合させる必要なく、アンテナの美的外観の変更を可能とするソリューションを見つけなければならない。
【課題を解決するための手段】
【０００５】
本発明は、近距離無線通信用のアンテナによって、これらの欠点のすべてまたは一部を克服することを提案し、そのアンテナは、導電性トラックを備え、導電性トラックは、アンテナの主形状を規定しているとともに、同じ幅の１次部分と、１次部分の幅とは異なる幅の２次部分と、からなるアレンジメントを含み、このアレンジメントは、造形画像を形成している。
【０００６】
この規定によって、それらの変更に応じて使用する高周波回路を適合させる必要なく、アンテナの美的外観を変更することが可能である。
【０００７】
一実施形態によれば、２次部分の幅は、離散的であるか、または徐々に変化している。
【０００８】
この規定によって、造形画像を、ある程度詳細に得ることが可能である。
【０００９】
一実施形態によれば、１次部分および／または２次部分の幅は、４００μｍ未満であり、具体的には２００μｍ未満であり、好ましくは１５０μｍ未満である。
【００１０】
この規定によって、造形画像を、詳細かつ、ある程度明確なコントラストで、得ることが可能である。
【００１１】
一実施形態によれば、アンテナは、１次部分と２次部分との間に距離を有し、その距離は、４００μｍ未満であり、具体的には２００μｍ未満であり、好ましくは１５０μｍ未満である。
【００１２】
この規定によって、造形画像を、詳細かつ、ある程度明確なコントラストで、得ることが可能である。
【００１３】
一実施形態によれば、導電性トラックは、３００ｍｍ〜１２００ｍｍの範囲にある長さ、具体的には４００ｍｍ〜１０００ｍｍの範囲にある長さ、好ましくは５００ｍｍ〜９００ｍｍの範囲にある長さを有する。
【００１４】
本発明は、さらに、近距離無線通信用のアンテナを製造する方法に関し、この方法は、少なくとも、
−  造形画像を含むとともに、第１の参照フレームで表される第１のデータセットを含む、第１のファイルを提供することと、
−  第１のファイルの第１のデータセットを、第２のファイルに含まれるとともに第２の参照フレームで表される第２のデータセットに変換することと、
−  導電性トラックによって形成されるアンテナの主形状を表す第３のファイルを提供することと、
−  導電性トラックを、同じ幅の１次部分と、１次部分の幅とは異なる幅の２次部分と、に細分割することにより、第２のファイルと第３のファイルを結合することと、
−  １次部分および２次部分を、主形状の上または中において造形画像を形成するようにアレンジすることと、を含む。
【００１５】
この規定によって、それらの変更に応じて使用する高周波回路を適合させる必要なく、アンテナの美的外観を変更することが可能である。
【００１６】
上述の実施形態および代替実施形態は、単独で、または技術的に可能な任意の組み合わせで、採用することができる。
【００１７】
添付の図面を参照して、単なる非限定的な例として提示される以下の説明を読解することで、本発明について適切に理解されるとともに、その効果が明らかになるであろう。添付の図面では、同一の参照符号は、構造的または機能的に同等もしくは類似の要素に対応している。
【００１８】
本発明について、決して限定するものではない例として提示される添付の図面を用いて、より詳細に以下で説明する。
【図面の簡単な説明】
【００１９】
【図１】図１Ａおよび１Ｂは、一実施形態における本発明によるアンテナ、および造形画像（１２０）をそれぞれ示している。
【図２】図２Ａおよび２Ｂは、他の実施形態における本発明によるアンテナ、および他の造形画像（１２０）をそれぞれ示している。
【図３】図３は、一実施形態による、近距離無線通信用のアンテナを製造する方法（５００）を示している。
【発明を実施するための形態】
【００２０】
その一実施形態を図１Ａおよび１Ｂに示す本発明は、近距離無線通信用のアンテナ１００の形態をとるものであり、このアンテナは、造形画像１２０を有する導電性トラック１０２を備える。
【００２１】
この導電性トラック１０２は、円形もしくは矩形の螺旋形状、コイル形状、または他の形状の形態をとり得るアンテナの主形状１１０を規定している。
【００２２】
螺旋は、単一または複数の螺旋であり得るとともに、中心点を始点として、この中心点の周りに周回しつつ、巻回ごとに中心点から次第に遠ざかる均一および／または不均一な曲線であり得る。一方、コイルは、均一および／または不均一に方向が変化する線であり得る。
【００２３】
このアンテナの主形状は、導電性トラック１０２によって形成することができ、導電性トラックの長さは、３００ｍｍ〜１２００ｍｍの範囲、具体的には４００ｍｍ〜１０００ｍｍの範囲、好ましくは５００ｍｍ〜９００ｍｍの範囲にあり得る。例えば、導電性トラック１０２すなわち螺旋が、４０ｍｍの全直径を有して、４つの巻回すなわち４つの周回を含む場合には、それが１３ＭＨｚで動作可能であり、約１．５μＨの値を生成し、１００ｐＦの静電容量が付加されると仮定すると、５００ｍｍに等しい長さとすることができる。導電性トラック１０２は、１次部分１２１と２次部分１２２とからなるアレンジメントを含む。１次部分１２１は、互いに同じ幅を有し、一方、２次部分１２２は、互いに異なる幅を有するとともに、１次部分１２１の幅とは異なる幅を有し、これにより、１次部分１２１と２次部分１２２とからなるアレンジメントは、造形画像１２０を形成している。より正確には、１次部分１２１および／または２次部分１２２の幅は、４００μｍ未満であり、具体的には２００μｍ未満であり、好ましくは１５０μｍ未満である。
【００２４】
それらの変更に対して、より正確には、それらの幅変調に対して、使用する高周波回路を適合させる必要なく、アンテナの美的外観の変更を可能にするのは、２次部分１２２のこれらの幅の変調である。より具体的には、１次部分１２１および２次部分１２２の幅に関わりなく、導電性トラック１０２は、途切れなくアンテナのパターンを形成するとともに、アンテナの主形状１１０の外形を描いている。造形画像１２０を形成するのは、２次部分１２２の幅および１次部分１２１と２次部分１２２とからなるアレンジメントにおけるこの変化のみである。
【００２５】
より正確には、一般的には紙である基板にコントラストを生成することにより、造形画像１２０を形成するのは、２次部分１２２の幅を徐々にまたは離散的に変化させることによる、２次部分１２２の幅におけるこれらの変調または変化である。
【００２６】
これらの変化が微細であるほど、すなわち緩やかであるほど、造形画像１２０がより詳細になるとともに、コントラストはより微細になる。また、このコントラストは、１次部分１２１と２次部分１２２との間の距離にも左右される可能性があり、その距離は、４００μｍ未満、具体的には２００μｍ未満、好ましくは１５０μｍ未満であり得る。
【００２７】
このアンテナ１００は、アンテナを製造する方法５００を用いて製造することができる。この方法は、造形画像１２０を表す第１のデータセットを含む第１のファイル５１０を提供するステップを含む。この第１のデータセットは、参照フレームで表すことができ、すなわち、透明化のためのアルファチャネル付きまたは無しの、赤色、緑色、青色の参照フレームで表すことができる。
【００２８】
次に、この第２のファイル５２０を、第２の参照フレームを用いた第２のデータセットに変換し、それは、白黒画像であり得るか、または、グレースケール表現を与えるように、その光強度を変調することができる画像であり得る。この第２のデータセットは、第２のファイルに含まれることができる。
【００２９】
導電性トラック１０２によって形成されるアンテナ１００の主形状１１０を表す第３のファイル５３０を、ユーザによって提供し、次に、それを第２のファイルと結合する。この主形状１１０は、円形もしくは矩形の螺旋形状、コイル形状、または他の形状であり得る。
【００３０】
次に、導電性トラック１０２を、同じ幅の１次部分１２１と、１次部分１２１の幅とは異なる幅の２次部分１２２と、に細分割することにより、使用する高周波回路を変更する必要なく、主形状１１０の上または中において第１のファイルの造形画像１２０を表す１次部分１２１と２次部分１２２とからなるアレンジメント５５０を生成する。
【符号の説明】
【００３１】
１００  アンテナ
１０２  導電性トラック
１１０  主形状
１２０  造形画像
１２１  １次部分
１２２  ２次部分
５００  アンテナを製造する方法
５１０  第１のファイル
５２０  第１のデータセット
５３０  第３のファイル
５４０  第２のファイルと第３のファイルを結合すること
５５０  アレンジメント
【図１Ａ】
0006982144.tif 000002
【図１Ｂ】
0006982144.tif 000003
【図２Ａ】
0006982144.tif 000004
【図２Ｂ】
0006982144.tif 000005
【図３】
0006982144.tif 000006